(57)【要約】アクセス端末及び基地局からのマルチキャリア・システムにおけるセルの管理を容易にするための方法及び装置が提供される。前記基地局及びアクセス端末は、アンカー・キャリア及び補助キャリアを介して通信する。前記基地局により生成されるトリガリング・アルゴリズムが、前記アクセス端末に送信される。前記トリガリング・アルゴリズムは、前記アンカー・キャリア及び／又は前記補助キャリアの上で検出されたトリガー・イベントに応じて、ダウンリンク・メジャーメントをレポートするためのインストラクションを含む。前記アクセス端末によりとられるダウンリンク・メジャーメントが、前記基地局に提供される。そして、前記ダウンリンク・メジャーメントに部分的に基づくセル管理インストラクションが前記基地局によりアクセス端末に提供される。
2011519508.tif 000002
【特許請求の範囲】
【請求項１】
マルチキャリア・システムにおけるセルの管理を容易にするための無線ネットワークにおけるアクセス端末のための方法は、
以下のアクトを実装するためにコンピュータ読み取り可能な記憶媒体に格納されるコンピュータ実行可能なインストラクションを実行するためのプロセッサを使用することと、
アンカー・キャリア又は補助キャリアのうちの少なくとも一つを介して基地局と通信することと、
前記アンカー・キャリアに割り当てられたアンカー受信機又は補助キャリアに割り当てられた補助受信機を通して信号を受信することと、
前記基地局から受信されるトリガリング・アルゴリズムで前記アクセス端末を設定することと（該トリガリング・アルゴリズムは、前記アクセス端末によりとられるダウンリンク・メジャーメントをレポートするべきかどうか判定するためのインストラクションを含む）、
前記アンカー・キャリアを介して少なくとも一つのトリガー・イベントを検出することと（該少なくとも一つのトリガー・イベントの各々は、前記トリガリング・アルゴリズムにより定義される）、
前記少なくとも一つのトリガー・イベントの各々の検出に応じて、前記ダウンリンク・メジャーメントを前記基地局にレポートすることと、
前記基地局からレスポンスを受信すること（該レスポンスは、前記ダウンリンク・メジャーメントに部分的に基づくセル管理インストラクションを含む）を含む方法。
【請求項２】
前記セル管理インストラクションは、前記補助キャリアを有効又は無効にするためのインストラクションを含む請求項１の方法。
【請求項３】
前記通信するアクトは、前記アンカー・キャリア及び前記補助キャリアを介して前記基地局と通信することを含む請求項１０の方法。
【請求項４】
前記セル管理インストラクションは、前記アクセス端末が以下のアクト、
前記補助キャリアの受信を、一時的に無効にすること、
前記補助受信機からダウンリンク・メジャーメント値をとること、及び、
前記補助受信機上で前記少なくとも一つのトリガー・イベントの各々を検出すること、
を実行するためのインストラクションを含む請求項３の方法。
【請求項５】
前記検出するアクトは、前記アンカー・キャリア上で排他的に起こる請求項３の方法。
【請求項６】
前記レポートするアクトは、前記アンカー・キャリア上で排他的にとられる前記ダウンリンク・メジャーメントをレポートすることを含む請求項５の方法。
【請求項７】
前記レポートするアクトは、前記アンカー・キャリア及び前記補助キャリア上でとられる前記ダウンリンク・メジャーメントをレポートすることを含む請求項５の方法。
【請求項８】
前記検出するアクトは、前記補助キャリア上で前記少なくとも一つのトリガー・イベントの各々を検出することを更に含む請求項３の方法。
【請求項９】
第１のトリガー・イベント及び第２のトリガー・イベントを検出する間の経過時間を確認することを更に含み、
前記レポートするアクトは、前記経過時間が時間閾値を超えない場合だけ、前記第１のトリガー・イベントに関連するダウンリンク・メジャーメントとともに、前記第２のトリガー・イベントに関連するダウンリンク・メジャーメントをレポートすることを含む請求項８の方法。
【請求項１０】
前記通信するアクトは、前記アンカー・キャリア及び前記補助キャリアの結合スケジューリングを含む請求項３の方法。
【請求項１１】
前記通信するアクトは、前記アンカー・キャリア及び前記補助キャリアの独立スケジューリングを含む請求項３の方法。
【請求項１２】
前記通信するアクトは、前記アンカー・キャリア及び前記補助キャリアの各々のための共通の時間参照を利用することを含み、
前記アンカー・キャリアを介するダウンリンク伝送は、前記補助キャリアを介するダウンリンク伝送と同期される請求項３の方法。
【請求項１３】
前記通信するアクトは、前記アンカー・キャリア又は前記補助キャリアを介してＭＩＭＯモードで前記基地局と通信することを含む請求項３の方法。
【請求項１４】
マルチキャリア無線システムにおけるセルの管理を容易にするためのアクセス端末において、
コンピュータ読み取り可能なインストラクションを格納するように構成されたメモリ・コンポーネントと、
前記メモリ・コンポーネントに接続され、前記コンピュータ読み取り可能なインストラクション（該インストラクションは、以下のコンポーネント上で複数のアクトを実装するためのインストラクションを含む）を実行するように構成された処理部と、
前記アンカー・キャリア又は前記補助キャリアのうちの少なくとも一つを介した前記アクセス端末と基地局との間の通信を容易にするように構成された通信コンポーネント（該通信コンポーネントは、前記アンカー・キャリアに割当てられたアンカー受信機又は前記補助キャリアに割当てた補助受信機を通して信号を受信するように構成される）と、
ダウンリンク状況を記録するように構成されたメジャーメント・コンポーネント（該ダウンリンク状況は、前記アンカー・キャリア又は前記補助キャリアのうちの少なくとも一つからとられるメジャーメントにより記録される）と、
前記アンカー・キャリア上で起こる少なくとも一つのトリガー・イベントを検出するように構成されたトリガー・コンポーネント（該少なくとも一つのトリガー・イベントの各々は、前記基地局から受信されるトリガリング・アルゴリズムにより定義され、該ダウンリンク状況は、各々のトリガー・イベントに応じて、前記基地局にレポートされる）と、
前記基地局から受信されるセル管理インストラクションを実行するように構成された管理コンポーネント（該セル管理インストラクションは、前記アクセス端末によりレポートされる前記ダウンリンク状況に応答して、受信される）とを含むアクセス端末。
【請求項１５】
前記管理コンポーネントは、前記補助キャリアを有効又は無効にするためのインストラクションを実行するように更に構成される請求項１４のアクセス端末。
【請求項１６】
前記通信コンポーネントは、前記アンカー・キャリア及び前記補助キャリアを介した前記基地局との通信を容易にする請求項１４のアクセス端末。
【請求項１７】
前記管理インストラクションは、以下のアクト、
通信コンポーネント上で、前記補助キャリアの受信を、一時的に無効にすること、
前記補助受信機からとられたメジャーメント値に従って、ダウンリンク状況を記録するように、測定コンポーネントを設定すること、及び、
前記補助受信機上で前記少なくとも一つのトリガー・イベントの各々を検出するように、前記トリガー・コンポーネントを設定することを実行するためのインストラクションを実行するように更に構成される請求項１６のアクセス端末。
【請求項１８】
前記トリガー・コンポーネントは、前記アンカー・キャリア上で排他的にトリガー・イベントを検出するように更に構成される請求項１６のアクセス端末
【請求項１９】
前記トリガー・コンポーネントは、前記アンカー・キャリア上で排他的にとられるメジャーメントに従って、ダウンリンク状況をレポートするように更に構成される請求項１８のアクセス端末。
【請求項２０】
前記トリガー・コンポーネントは、前記アンカー・キャリア及び前記補助キャリア上でとられるメジャーメントに従って、ダウンリンク状況をレポートするように更に構成される請求項１８のアクセス端末。
【請求項２１】
前記トリガー・コンポーネントは、前記補助キャリア上でトリガー・イベントを検出するように更に構成される請求項１６のアクセス端末。
【請求項２２】
第１のトリガー・イベント及び第２のトリガー・イベントを検出する間の経過時間を確認するように構成されたタイミング・コンポーネントを更に含み、
前記トリガー・コンポーネントは、前記経過時間が時間閾値を超えない場合だけ、前記第１のトリガー・イベントに関連するダウンリンク・メジャーメントとともに、前記第２のトリガー・イベントに関連するメジャーメントに従ったダウンリンク状況をレポートするように更に構成される請求項２１のアクセス端末。
【請求項２３】
アクセス端末からマルチキャリア・システムにおけるセルの管理を容易にするためのコンピュータ・プログラム製品において、
アンカー・キャリア又は補助キャリアのうちの少なくとも一つを介して基地局と通信するためのコードと、
前記アンカー・キャリアに割り当てられたアンカー受信機又は補助キャリアに割り当てられた補助受信機を通して信号を受信するためのコードと、
前記基地局から受信されるトリガリング・アルゴリズムで前記アクセス端末を設定するためのコードと（該トリガリング・アルゴリズムは、前記アクセス端末によりとられるダウンリンク・メジャーメントをレポートするべきかどうか判定するためのインストラクションを含む）、
前記アンカー・キャリアを介して少なくとも一つのトリガー・イベントを検出するためのコードと（該少なくとも一つのトリガー・イベントの各々は、前記トリガリング・アルゴリズムにより定義される）、
前記少なくとも一つのトリガー・イベントの各々の検出に応じて、前記ダウンリンク・メジャーメントを前記基地局にレポートするためのコードと、
前記基地局からレスポンスを受信するためのコード（該レスポンスは、前記ダウンリンク・メジャーメントに部分的に基づくセル管理インストラクションを含む）とを含むコンピュータ読み取り可能な記憶媒体を含むコンピュータ・プログラム製品。
【請求項２４】
アクセス端末からマルチキャリア・システムにおけるセルの管理を容易にするための装置において、
アンカー・キャリア又は補助キャリアのうちの少なくとも一つを介して基地局と通信するための手段と、
前記アンカー・キャリアに割り当てられたアンカー受信機又は補助キャリアに割り当てられた補助受信機を通して信号を受信するための手段と、
前記基地局から受信されるトリガリング・アルゴリズムで前記アクセス端末を設定するための手段と（該トリガリング・アルゴリズムは、前記アクセス端末によりとられるダウンリンク・メジャーメントをレポートするべきかどうか判定するためのインストラクションを含む）、
前記アンカー・キャリアを介して少なくとも一つのトリガー・イベントを検出するための手段と（該少なくとも一つのトリガー・イベントの各々は、前記トリガリング・アルゴリズムにより定義される）、
前記少なくとも一つのトリガー・イベントの各々の検出に応じて、前記ダウンリンク・メジャーメントを前記基地局にレポートするための手段と、
前記基地局からレスポンスを受信するための手段（該レスポンスは、前記ダウンリンク・メジャーメントに部分的に基づくセル管理インストラクションを含む）とを含む装置。
【請求項２５】
マルチキャリア・システムにおけるセルの管理を容易にするための無線ネットワークの基地局のための方法において、
以下のアクトを実装するためにコンピュータ読み取り可能な記憶媒体に格納されるコンピュータ実行可能なインストラクションを実行するためのプロセッサを使用することと、
アンカー・キャリア又は補助キャリアのうちの少なくとも一つを介してアクセス端末と通信することと、
トリガリング・アルゴリズム（該トリガリング・アルゴリズムは、前記アクセス端末が、前記アンカー・キャリア又は前記補助キャリアのうちの少なくとも一つを介したトリガー・イベントの検出に応じて、ダウンリンク・メジャーメントをレポートするためのインストラクションを含む）を生成することと、
前記トリガリング・アルゴリズムを前記アクセス端末に送信することと、
前記アクセス端末からダウンリンク・メジャーメントを受信することと、
前記アクセス端末にセル管理インストラクションを提供すること（該セル管理インストラクションは、前記ダウンリンク・メジャーメントに部分的に基づく）を含む方法。
【請求項２６】
前記提供するアクトは、前記補助キャリアを有効又は無効にするためのインストラクションを前記アクセス端末に提供することを含む請求項２５の方法。
【請求項２７】
前記通信するアクトは、前記アンカー・キャリア及び前記補助キャリアを介して前記アクセス端末と通信することを含む請求項２５の方法。
【請求項２８】
前記トリガリング・アルゴリズムは、前記アクセス端末が、前記アンカー・キャリア上で排他的に前記トリガー・イベントを検出するためのインストラクションを含むように生成される請求項２７の方法。
【請求項２９】
前記トリガリング・アルゴリズムは、前記アクセス端末が、前記アンカー・キャリア上で排他的にとられる前記ダウンリンク・メジャーメントをレポートするためのインストラクションを含むように生成される請求項２８の方法。
【請求項３０】
前記トリガリング・アルゴリズムは、前記アクセス端末が、前記アンカー・キャリア及び前記補助キャリア上でとられる前記ダウンリンク・メジャーメントをレポートするためのインストラクションを含むように生成される請求項２８の方法。
【請求項３１】
前記トリガリング・アルゴリズムは、前記アクセス端末が、前記アンカー・キャリア及び前記補助キャリア上で前記トリガー・イベントを検出するためのインストラクションを含むように生成される請求項２７の方法。
【請求項３２】
前記トリガリング・アルゴリズムは、前記アクセス端末が、第１のトリガー・イベント及び第２のトリガー・イベントを検出する間の経過時間を確認するためのインストラクションを含むように生成され、
前記アクセス端末は、前記経過時間が時間閾値を超えない場合だけ、前記第１のトリガー・イベントに関連するダウンリンク・メジャーメントとともに、前記第２のトリガー・イベントに関連するダウンリンク・メジャーメントをレポートするように指示される請求項３１の方法。
【請求項３３】
前記トリガリング・アルゴリズムは、前記アクセス端末が以下のアクト、
前記補助キャリアの受信を、一時的に無効にすること、
前記補助受信機から排他的にダウンリンク・メジャーメント値をとること、及び、
前記補助受信機上で排他的にトリガー・イベントを検出すること、
を実行するためのインストラクションを含むように生成される請求項２７の方法。
【請求項３４】
前記通信するアクトは、前記アンカー・キャリア及び前記補助キャリアのために結合キューを使用することを含む請求項２７の方法。
【請求項３５】
前記通信するアクトは、前記アンカー・キャリア及び前記補助キャリアのために独立キューを使用することを含む請求項２７の方法。
【請求項３６】
前記通信するアクトは、前記アンカー・キャリア及び前記補助キャリアのために共通のサービングセルを使用することを含む請求項２７の方法。
【請求項３７】
前記通信するアクトは、前記アンカー・キャリア及び前記補助キャリアの各々のための共通の時間参照を利用することを含み、
前記アンカー・キャリアを介するダウンリンク伝送は、前記補助キャリアを介するダウンリンク伝送と同期される請求項２７の方法。
【請求項３８】
前記提供するアクトは、アクティブ・セットを前記アクセス端末に割り当てることを含み、
前記アクティブ・セットは、第１のセクター及び第２のセクターを含み、
前記第１のセクターは、シングルキャリアを介して前記アクセス端末と通信するように構成され、
前記第２のセクターは、デュアルキャリアにより前記アクセス端末と通信するように構成される請求項２５の方法。
【請求項３９】
マルチキャリア無線システムにおけるセルの管理を容易にするための基地局において、
コンピュータ読み取り可能なインストラクションを格納するように構成されたメモリ・コンポーネントと、
前記メモリ・コンポーネントに接続され、前記コンピュータ読み取り可能なインストラクション（該インストラクションは、以下のコンポーネント上で複数のアクトを実装するためのインストラクションを含む）を実行するように構成された処理部と、
アンカー・キャリア又は補助キャリアのうちの少なくとも一つを介して前記基地局とアクセス端末との間の通信を容易にするように構成された通信コンポーネントと、
前記アクセス端末に提供されるトリガリング・アルゴリズム（該トリガリング・アルゴリズムは、前記アンカー・キャリア又は前記補助キャリアのうちの少なくとも一つを介したトリガー・イベントの検出に応じて、ダウンリンク・メジャーメントをレポートするためのインストラクションを含む）を生成するように構成されたトリガリング・アルゴリズム生成コンポーネントと、
前記アクセス端末に提供されるセル管理インストラクションを生成するように構成されたセル管理コンポーネント（該セル管理インストラクションは、前記トリガリング・アルゴリズムに従って前記アクセス端末から受信される前記ダウンリンク・メジャーメントに部分的に基づく）とを含む方法。
【請求項４０】
前記セル管理コンポーネントは、前記補助キャリアを有効又は無効にするためのセル管理インストラクションを生成するように構成された請求項３９の基地局。
【請求項４１】
前記通信コンポーネントは、前記アンカー・キャリア及び前記補助キャリアを介した前記アクセス端末との通信を容易にするように構成される請求項３９の基地局。
【請求項４２】
前記トリガリング・アルゴリズムは、前記アクセス端末が、前記アンカー・キャリア上で排他的に前記トリガー・イベントを検出するためのインストラクションを含むように生成される請求項４１の基地局。
【請求項４３】
前記トリガリング・アルゴリズムは、前記アクセス端末が、前記アンカー・キャリア上で排他的にとられる前記ダウンリンク・メジャーメントをレポートするためのインストラクションを含むように生成される請求項４２の基地局。
【請求項４４】
前記トリガリング・アルゴリズムは、前記アクセス端末が、前記アンカー・キャリア及び前記補助キャリア上でとられる前記ダウンリンク・メジャーメントをレポートするためのインストラクションを含むように生成される請求項４２の基地局。
【請求項４５】
前記トリガリング・アルゴリズムは、前記アクセス端末が、前記アンカー・キャリア及び前記補助キャリア上で前記トリガー・イベントを検出するためのインストラクションを含むように生成される請求項４１の基地局。
【請求項４６】
前記トリガリング・アルゴリズムは、前記アクセス端末が、第１のトリガー・イベント及び第２のトリガー・イベントを検出する間の経過時間を確認するためのインストラクションを含むように生成され、
前記アクセス端末は、前記経過時間が時間閾値を超えない場合だけ、前記第１のトリガー・イベントに関連するダウンリンク・メジャーメントとともに、前記第２のトリガー・イベントに関連するダウンリンク・メジャーメントをレポートするように指示される請求項４５の基地局。
【請求項４７】
前記トリガリング・アルゴリズムは、前記アクセス端末が以下のアクト、
前記補助キャリアの受信を、一時的に無効にすること、
前記補助受信機から排他的にダウンリンク・メジャーメント値をとること、及び、
前記補助受信機上で排他的にトリガー・イベントを検出すること、
を実行するためのインストラクションを含むように生成される請求項４１の基地局。
【請求項４８】
前記通信コンポーネントは、前記アンカー・キャリア及び前記補助キャリアの各々のための共通の時間参照を利用するように更に構成され、
前記アンカー・キャリアを介するダウンリンク伝送は、前記補助キャリアを介するダウンリンク伝送と同期される請求項４１の基地局。
【請求項４９】
基地局からのマルチキャリア・システムにおけるセルの管理を容易にするためのコンピュータ・プログラム製品において、
アンカー・キャリア又は補助キャリアのうちの少なくとも一つを介してアクセス端末と通信するためのコードと、
トリガリング・アルゴリズム（該トリガリング・アルゴリズムは、前記アクセス端末が、前記アンカー・キャリア又は前記補助キャリアのうちの少なくとも一つを介したトリガー・イベントの検出に応じて、ダウンリンク・メジャーメントをレポートするためのインストラクションを含む）を生成するためのコードと、
前記トリガリング・アルゴリズムを前記アクセス端末に送信するためのコードと、
前記アクセス端末からダウンリンク・メジャーメントを受信するためのコードと、
前記アクセス端末にセル管理インストラクションを提供するためのコード（該セル管理インストラクションは、前記ダウンリンク・メジャーメントに部分的に基づく）とを含むコンピュータ読み取り可能な記憶媒体を含むコンピュータ・プログラム製品方法。
【請求項５０】
基地局からのマルチキャリア・システムにおけるセルの管理を容易にするための装置において、
アンカー・キャリア又は補助キャリアのうちの少なくとも一つを介してアクセス端末と通信するための手段と、
トリガリング・アルゴリズム（該トリガリング・アルゴリズムは、前記アクセス端末が、前記アンカー・キャリア又は前記補助キャリアのうちの少なくとも一つを介したトリガー・イベントの検出に応じて、ダウンリンク・メジャーメントをレポートするためのインストラクションを含む）を生成するための手段と、
前記トリガリング・アルゴリズムを前記アクセス端末に送信するための手段と、
前記アクセス端末からダウンリンク・メジャーメントを受信するための手段と、
前記アクセス端末にセル管理インストラクションを提供するための手段（該セル管理インストラクションは、前記ダウンリンク・メジャーメントに部分的に基づく）とを含む装置。
【発明の詳細な説明】
【技術分野】
【０００１】
（関連出願の相互参照）
この出願は、２００８年３月２５日付け提出された「METHODS AND APPARATUS TO REPORT AND MANAGE CELLS IN A MULTI CARRIER SYSTEM」と題された米国仮出願第６１／０３９，１６４号の優先権を主張する。
【０００２】
（技術分野）
本出願は、一般に無線通信に関係し、より詳しくはマルチキャリア・システムにおけるセルの管理を容易にする方法及びシステムに関係する。
【背景技術】
【０００３】
様々なタイプの通信を提供するために、無線通信システムが広く配置される；例えば、ボイス及び／又はデータが、そのような無線通信システムにより提供されることができる。典型的な無線通信システム又はネットワークは、１又は複数の共有資源（例えば、バンド幅、送信電力など）に対するマルチ・ユーザ・アクセスを提供することができる。例えば、システムは、例えば周波数分割多重（ＦＤＭ）、時分割多重（ＴＤＭ）、符号分割多重（ＣＤＭ）、直交周波数分割多重（ＯＦＤＭ）、高速パケット（ＨＳＰＡ、ＨＳＰＡ＋）、その他のような、様々な多元接続技術を使用することができる。さらに、無線通信システムは、例えばＩＳ−９５、ＣＤＭＡ２０００、ＩＳ−８５６、Ｗ−ＣＤＭＡ、ＴＤ−ＳＣＤＭＡ及び同類のもののような１又は複数の標準を実装するようにデザインされることができる。
【０００４】
一般に、無線多元接続通信システムは、複数の無線端末に関する通信を同時にサポートすることができる。そのようなシステムにおいて、各々の端末は、順方向リンク及び逆方向リンク上での伝送を介して１又は複数の基地局と通信することができる。順方向リンク（又は、ダウンリンク）は、基地局から端末までの通信リンクを指し示し、逆方向リンク（又は、アップリンク）は、端末から基地局までの通信リンクを指し示す。この通信リンクは、単一入力単一出力（ＳＩＳＯ）、多重入力単一出力（ＭＩＳＯ）、又は多重入力多重出力（ＭＩＭＯ）システムを介して確立されることができる。
【０００５】
ＭＩＭＯシステムは、データ伝送のために複数の（ＮＴ個の）送信アンテナ及び複数の（ＮＲ個の）受信アンテナを使用する。ＮＴ個の送信アンテナ及びＮＲ個の受信アンテナによりに形成されるＭＩＭＯチャネルは、ＮＳ個の独立したチャネルに分解されることができる。それらはまた、空間チャネルと呼ばれる。ここで、ＮＳ≦min｛ＮＴ,ＮＲ｝である。ＮＳ個の独立したチャネルの各々は、ディメンションに対応する。複数の送信及び受信アンテナにより作成される更なるディメンションが利用されるならば、ＭＩＭＯシステムは、向上するパフォーマンス（例えば、より高いスループット及び／又はより大きな信頼性）を提供することができる。
【０００６】
ＭＩＭＯシステムは、時分割双方向（ＴＤＤ）及び周波数分割双方向（ＦＤＤ）システムをサポートする。ＴＤＤシステムにおいて、相互関係原則が逆方向リンク・チャネルから順方向リンク・チャネルの推定を可能にするように、順方向及び逆方向リンク伝送は、同一の周波数領域上にある。これは、アクセスポイントにおいて複数のアンテナが利用できるときに、アクセスポイントが、順方向リンク上での送信ビームフォーミング・ゲインを抽出することを可能にする。
【０００７】
最近の研究は、２つのＨＳＤＰＡキャリアにわたったスケジュールの実現可能性に集中した。そのような研究は、ユーザごとのピークデータレートを増加させるために、また、セルＤＣＨステートでキャリアを多重化することによって利用可能な資源をより良く利用するために、そのようなスケジューリング・スキームを利用することにとりわけ集中した。このデュアルキャリア・アプローチは、ＤＣＨＳＤＰＡ（デュアル・セルＨＳＤＰＡ又はデュアルキャリアＨＳＤＰＡ）と一般に呼ばれる。ここで、ＤＣＨＳＤＰＡは、特にプアなチャネル状態（poor channel conditions）を経験しているＵＥのために、より良いパフォーマンス向上を達成するために、より高い資源利用効率及び周波数選択性の両方を提供する。
【０００８】
ＤＣＨＳＤＰＡシステムのための現在のセル管理スキームは、基地局が、ＵＥにより測定されるダウンリンク状態を考慮に入れることを可能にしない。そのようなスキームは、望ましくないことに、ＵＥにより経験されるリアルタイムのダウンリング状態の知識なしで、セル管理機能を実行することを、基地局に強制する。それゆえ、ＵＥによりとられるダウンリンク・メジャーメント（measurements）に応じて、マルチキャリア・システムにおけるセルの管理を容易にする方法及び装置を持つことは、望ましいであろう。
【発明の概要】
【０００９】
以下は、そのような実施態様の基本的な理解を提供するために、１又は複数の実施態様の簡略化された概要を示す。この概要は、すべての予期される実施形態の外延的な概要ではなく、また、すべての実施態様の鍵となる又は重要な要素を特定することも、一部又は全部の実施態様の範囲を線引きすることも意図されていない。その唯一の目的は、後で示されるより詳しい説明に対する前置きとして、１又は複数の実施態様の幾つかの概念を簡略化された形で示すことである。
【００１０】
１又は複数の実施態様及びその対応する開示に従って、マルチキャリア・システムにおけるセルの管理を容易にすることに関連して、様々な態様が説明される。一つの態様において、基地局からのマルチキャリア・システムにおけるセルの管理を容易にするための方法、装置及びコンピュータ・プログラム製品が、開示される。そのような実施態様の中で、前記基地局はアンカー・キャリア又は補助キャリアのうちの少なくとも一つを介してアクセス端末と通信する。前記アクセス端末が、前記アンカー・キャリア又は前記補助キャリアのうちの少なくとも一つを介したトリガー・イベントの検出に応じて、ダウンリンク・メジャーメントをレポートするためのインストラクションを含むトリガリング・アルゴリズムが生成される。前記トリガリング・アルゴリズムが、それから、前記アクセス端末に送信され、また、前記アクセス端末からのダウンリンク・メジャーメントが、続いて、受信される。前記ダウンリンク・メジャーメントに部分的に基づくセル管理インストラクションが、それから、前記アクセス端末に提供される。
【００１１】
他の態様において、アクセス端末からのマルチキャリア・システムにおけるセルの管理を容易にするための方法、装置及びコンピュータ・プログラム製品が、開示される。そのような実施態様の中で、前記アクセス端末は、アンカー・キャリア又は補助キャリアのうちの少なくとも一つを介して基地局で通信する。前記アクセス端末は、前記アクセス端末によりとられるダウンリンク・メジャーメントをレポートするべきかどうか判定するためのインストラクションを含む、前記基地局から受信されるトリガリング・アルゴリズムで、前記アクセス端末が設定される。前記アクセス端末は、前記アンカー・キャリアの上で起こる、トリガリング・アルゴリズムにより定義されるトリガー・イベントを検出する。それから、前記トリガー・イベントを検出すると、ダウンリンク・メジャーメントが、前記基地局にレポートされ、続いて、前記ダウンリンク・メジャーメントに部分的に基づくセル管理インストラクションを含むレスポンスが、前記基地局から受信される。
【００１２】
前述の目的及び関係する目的の達成のために、１又は複数の実施形態は、以下に十分に説明され、特に特許請求の範囲において指摘された特徴を包含する。以下の説明及び添付された図面は、１又は複数の実施形態の幾つかの説明的な態様を説明する。これらの態様は、しかし、様々な実施形態の原理が使用されることのできる様々な方法のうちのほんの数例を示し、また、説明された実施形態はすべての当該の態様及びそれらの均等物を含むことが意図される。
【図面の簡単な説明】
【００１３】
【図１】図１は、実施態様に従ったマルチキャリア・システムにおけるセルの管理を容易にするための例示的な無線通信システムの説明図である。
【図２】図２は、実施態様に従った例示的なデュアルキャリア通信の説明図である。
【図３】図３は、実施態様に従った例示的な基地局ユニットのブロック図である。
【図４】図４は、基地局からのマルチキャリア無線システムにおけるセルの管理を実現する電気コンポーネントの例示的な結合の説明図である。
【図５】図５は、基地局からのマルチキャリア無線システムにおけるセルの管理を容易にするための例示的な手順を示すフローチャートである。
【図６】図６は、実施態様に従った例示的なアクセス端末ユニットのブロック図である。
【図７】図７は、アクセス端末からのマルチキャリア無線システムにおけるセルの管理を実現する電気コンポーネントの例示的な結合の説明図である。
【図８】図８は、アクセス端末からのマルチキャリア無線システムにおけるセルの管理を容易にするための例示的な手順を示すフローチャートである。
【図９】図９は、本明細書で説明される様々な態様に従った無線通信システムの説明図である。
【図１０】図１０は、本明細書で説明される様々なシステム及び方法とともに使用されることができる例である無線ネットワーク環境の説明図である。
【図１１】図１１は、本明細書で説明される様々な態様に従った例示的な基地局の説明図である。
【図１２】図１２は、本明細書で説明される様々な態様に従って実装される例示的な無線端末の説明図である。
【詳細な説明】
【００１４】
さて、様々な実施形態が図面を参照して説明される。ここで、全体にわたって同様のエレメントを指し示すために同様の参照番号が使用される。以下の記述では、説明の目的のために、多数の特定の細部が、１又は複数の実施形態の深い理解を与えるために説明される。しかし、そのような（１又は複数の）実施形態がこれら特定の細部なしに実施され得ることは明らかであろう。他のインスタンスにおいて、１又は複数の実施形態の説明を容易にするために、良く知られた構造及びデバイスが、ブロック図の形で示される。
【００１５】
本明細書で説明される技術は、例えば符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、高速パケット・アクセス（ＨＳＰＡ）及び他のシステムのような、様々な無線通信システムのために使用されることができる。用語“システム（system）”及び“ネットワーク（network）”は、しばしば互換的に使われる。ＣＤＭＡシステムは、例えばユニバーサル地上無線アクセス（ＵＴＲＡ）、ＣＤＭＡ２０００などのような無線技術を実装することができる。ＵＴＲＡは、ワイドバンドＣＤＭＡ（Ｗ−ＣＤＭＡ）及びＣＤＭＡの他の変形を含む。ＣＤＭＡ２０００は、ＩＳ−２０００標準、ＩＳ−９５標準及びＩＳ−８５６標準をカバーする。ＴＤＭＡシステムは、例えばグローバル移動体通信システム（ＧＳＭ（登録商標））のような無線技術を実装することができる。ＯＦＤＭＡシステムは、例えばEvolved ＵＴＲＡ（Ｅ−ＵＴＲＡ）、ウルトラ・モバイル・ブロードバンド（ＵＭＢ）、ＩＥＥＥ ８０２．１１（Ｗｉ−Ｆｉ）、ＩＥＥＥ ８０２．１６（ＷｉＭａｘ）、ＩＥＥＥ ８０２．２０、Ｆｌａｓｈ−ＯＦＤＭ（登録商標）などのような無線技術を実装することができる。ＵＴＲＡ及びＥ−ＵＴＲＡは、ユニバーサル移動通信システム（ＵＭＴＳ）の一部である。３ＧＰＰロングタームエボリューション（ＬＴＥ）は、Ｅ−ＵＴＲＡを使う、ＵＭＴＳの来るリリースであり、それは、アップリンク上でＳＣ−ＦＤＭＡを使用し、ダウンリンク上でＯＦＤＭＡを使用する。
【００１６】
シングルキャリア周波数分割多元接続（ＳＣ−ＦＤＭＡ）は、シングルキャリア変調及び周波数領域イコライゼイションを利用する。ＳＣ−ＦＤＭＡは、ＯＦＤＭＡシステムと同程度のパフォーマンス及び基本的にＯＦＤＭＡシステムと同じ全体的な複雑さを持つ。ＳＣ−ＦＤＭＡ信号は、その固有のシングルキャリア構造のために、より低いピーク対平均電力比（ＰＡＰＲ）を持つ。ＳＣ−ＦＤＭＡは、例えば、送信電力効率の観点でより低いＰＡＰＲがアクセス端末に大いに恩恵を与えるアップリンク通信において使用されることができる。したがって、ＳＣ−ＦＤＭＡは、３ＧＰＰロングタームエボリューション（ＬＴＥ）又はEvolved ＵＴＲＡにおけるアップリンク多元接続スキームとして実装されることができる。
【００１７】
高速パケット・アクセス（ＨＳＰＡ）は、高速ダウンリンク・パケット・アクセス（ＨＳＤＰＡ）技術及び高速アップリンク・パケット・アクセス（ＨＳＵＰＡ）又は強化アップリンク（ＥＵＬ）技術を含むことができ、また、ＨＳＰＡ＋技術を含むことができる。ＨＳＤＰＡ、ＨＳＵＰＡ及びＨＳＰＡ＋は、それぞれ、第３世代パートナーシッププロジェクト（３ＧＰＰ）仕様リリース５、リリース６及びリリース７の一部である。
【００１８】
高速ダウンリンク・パケット・アクセス（ＨＳＤＰＡ）は、ネットワークからユーザ装置（ＵＥ）へのデータ伝送を最適化する。本明細書で使用されるように、ネットワークからユーザ装置ＵＥへの伝送は、“ダウンリンク”（ＤＬ）と呼ばれることができる。伝送方法は、数Ｍbit/sのデータレートを可能にする。高速ダウンリンク・パケット・アクセス（ＨＳＤＰＡ）は、モバイル無線ネットワークのキャパシティーを増加させることができる。高速アップリンク・パケット・アクセス（ＨＳＵＰＡ）は、端末からネットワークへのデータ伝送を最適化することができる。本明細書で使用されるように、端末からネットワークへの伝送は、“アップリンク”（ＵＬ）と呼ばれることができる。アップリンク・データ伝送方法は、数Ｍbit/sのデータレートを可能にする。ＨＳＰＡ＋は、３ＧＰＰ仕様のリリース７に指定されているようなアップリンク及びダウンリンクの両方における更なる一層の改善を提供する。高速パケット・アクセス（ＨＳＰＡ）方法は、一般的に、大量のデータを送信するデータ・サービスにおけるダウンリンクとアップリンクとの間のより高速なインターラクション（例えば、ボイスオーバーＩＰ（ＶｏＩＰ）、テレビ会議及びモバイル・オフィス・アプリケーション）を可能にする。
【００１９】
例えばハイブリッド自動リピート・リクエスト（hybrid automatic repeat request）のような（ＨＡＲＱ）高速データ伝送プロトコルは、アップリンク及びダウンリンクの上で使用されることができる。そのようなプロトコル（例えばハイブリッド自動リピート・リクエスト（ＨＡＲＱ）など）は、受信者が、誤って受信されたかもしれないパケットの再送を自動的にリクエストするのを可能にする。
【００２０】
様々な実施形態がアクセス端末に関連して本明細書で説明される。また、アクセス端末は、システム、加入者ユニット、加入者設備、移動ル局、モバイル、リモート局、リモート端末、モバイルデバイス、ユーザ端末、端末、無線通信デバイス、ユーザエージェント、ユーザデバイス、又はユーザ装置（UE）と呼ばれることができる。アクセス端末は、携帯電話、コードレス電話、セッション開始プロトコル（ＳＩＰ）電話、ワイヤレスローカルループ（ＷＬＬ）局、携帯情報端末（ＰＤＡ）、無線接続能力を持つ携帯用デバイス、コンピュータデバイス、又は無線モデムに接続される他の処理デバイスであっても良い。さらに、様々な実施形態が基地局に関連して本明細書で説明される。基地局は、アクセス端末と通信するために利用されることができ、また、（１又は複数の)アクセスポイント、Ｎｏｄｅ Ｂ、Evolved Node B （eNodeB）又は何らかの他の専門用語で呼ばれることができる。
【００２１】
次に、図１を参照して、実施態様に従ったマルチキャリア・システムにおけるセルの管理を容易にするための例示的な無線通信システムの説明図が提供される。図示されるように、システム１００は、コア・ネットワーク１１０及びアクティブ・セットにおける複数の基地局１３０及び１３２の各々と通信する無線ネットワーク制御装置（ＲＮＣ）１２０を含んでも良い。そのような実施態様の中で、ＲＮＣ １２０は、コア・ネットワーク１１０からダウンリンク・データパケットを受信し、それらを、基地局１３０及び１３２を介してＵＥ １４０にリレーする。この特定の例について、基地局１３０は、現在のソース基地局であることが示されるが、アクティブ・セット更新に加えて、基地局１３２のうちの一つへのサービング・セルの変更も、ＵＥ １４０により提供されるダウンリンク・メジャーメントに従って促進されても良い。
【００２２】
一つの実施態様において、システム１００は、ＵＥ １４０並びに基地局１３０及び１３２の間のデュアルキャリア通信を容易にする。ここで、“アンカー・キャリア（anchor carrier）”及び“補助キャリア（supplementary carrier）”がそのような通信を容易にするために利用される。このために、アンカー・キャリアは、CELL_DCHにおけるデュアルキャリア・オペレーションの間にＵＥに割り当てられるアップリンク周波数キャリアに関連するダウンリンク周波数キャリアとして定義されるが、補助キャリアは、アンカー・キャリアでないダウンリンク周波数キャリアとして定義されることは、認識されるべきである。一つの態様において、アンカー・キャリア及び補助キャリアは、同一の時間参照（time reference）をもち、それらのダウンリンクは、同期される。ここで、サービング・セルは、両方のキャリア上で同一である。ここで、基地局１３０及び１３２におけるダウンリンク・キューは、二つのキャリアについて、結合する（joint）方法で又は独立した（disjoint）方法で、オペレートされることができるであろうことは、認識されるべきである。同様に、二つのダウンリンク・キャリア上でのスケジューリングことは、結合されても良いし、又は、独立されても良い。
【００２３】
他の態様において、“セクター”は、同一の基地局に属し、同一の地理的エリアをカバーする、１又は複数のセルとして定義される。この定義の下で、ＤＣＨＳＤＰＡ通信を容易にするセクターが、ホットスポット（hotspots）の配置をサポートしてもよいことは、認識されるべきである。すなわち、ＵＴＲＡＮは、アクティブ・セットにおける任意のセクターから一方又は両方のキャリア上でＨＳＤＰＡにチャネルを割り当てることができるであろう。例えば、セクターＡ及びＢを含んでいるアクティブ・セットを割り当てることができるであろう（ここで、セクターＡはＤＣＨＳＤＰＡでオペレートし、セクターＢはシングルキャリアＨＳＤＰＡでオペレートする）。
【００２４】
更にもう一つの態様において、レガシーＵＥのオペレーションは、システム１００におけるＤＣＨＳＤＰＡの導入に影響を受けない。特に、２つのキャリアのいずれかの上でＭＩＭＯモードにおいてＵＥをオペレートすることはなお可能であるはずであり、一方、他のＵＥは、これらの２つのキャリアを用いたＤＣＨＳＤＰＡモードにあることができるであろう。
【００２５】
図２において、一実施態様に従った基地局とＵＥとの間の例示的なデュアルキャリア通信の説明図が提供される。図示されるように、システム２００は、アンカー・キャリア２３０及び補助キャリア２４０を介してＵＥ ２２０と通信する基地局２１０を含む。一つの態様において、図のように、ダウンリンク・トラフィックは、基地局２１０からＵＥ２２０へ流れる（flows）。ＵＥ２２０が基地局２１０からデータを受信すると、ダウンリンク状態（downlink conditions）が、特定のトリガー・スキームに従って、ＵＥ２２０によりモニターされて、レポートされる。一つの実施態様において、ＵＥ２２０により実行されるトリガー・スキームは、基地局２１０により提供／更新される。ここで、特定のトリガー・スキームに応じて、ＵＥ２２０は、アンカー・キャリア２３０に割り当てられたアンカー受信機及び／又は補助キャリア２４０に割り当てられた補助受信機の上で検出されるトリガー・イベントに基づいて、ダウンリンク状態をレポートしても良い。基地局２１０は、それから、セル管理の修正が必要かどうか（例えば、アクティブ・セットを更新する、サービング・セルを変更する、など）を確認（ascertain）するために、ＵＥ２２０によりレポートされるダウンリンク状況を処理する。必要であるならば、図のように、そのような修正を実行するためのセル管理インストラクションが、ＵＥ２２０に送信される。
【００２６】
次に、図３を参照して、一実施態様に従った例示的な基地局ユニットのブロック図が提供される。図示されるように、基地局ユニット３００は、プロセッサ・コンポーネント３１０、メモリ・コンポーネント３２０、通信コンポーネント３３０、トリガー生成コンポーネント３４０、及び、セル管理コンポーネント３５０を含んでも良い。
【００２７】
一つの態様において、プロセッサ・コンポーネント３１０は、複数の機能のうちの任意のものの実行に関係するコンピュータ読み取り可能なインストラクションを実行するように構成される。プロセッサ・コンポーネント３１０は、基地局ユニット３００から通信される情報の解析、及び／又は、メモリ・コンポーネント３２０、通信コンポーネント３３０、トリガー生成コンポーネント３４０及び／又はセル管理コンポーネント３５０により利用されることができる情報の生成のために専用される、単一のプロセッサ又は複数のプロセッサであることができる。加えて又は代わりに、プロセッサ・コンポーネント３１０は、基地局ユニット３００の１又は複数のコンポーネントを制御するように構成されても良い。
【００２８】
他の態様において、メモリ・コンポーネント３２０は、プロセッサ・コンポーネント３１０に接続され、プロセッサ・コンポーネント３１０により実行されるコンピュータ読み取り可能なインストラクションを格納するように構成される。メモリ・コンポーネント３２０はまた、通信コンポーネント３３０、トリガー生成コンポーネント３４０及び／又はセル管理コンポーネント３５０のうちの任意のものにより生成されるデータを含む複数の他のタイプのデータの任意のものを格納するように構成されても良い。メモリ・コンポーネント３２０は、ランダムアクセスメモリ、バッテリー・バックアップされたメモリ、ハードディスク、磁気テープなどを含む幾つかの異なるコンフィギュレーションにおいて構成されることができる。例えば圧縮（compression）及び自動バックアップ（例えば、独立したドライブ・コンフィギュレーションの冗長アレイの使用）のような、様々な特徴はまた、メモリ・コンポーネント３２０の上で実装されることができる。
【００２９】
図示されるように、基地局ユニット３００はまた、プロセッサ・コンポーネント３１０に接続され且つ基地局ユニット３００を外部のエンティティーとインタフェースするように構成された通信コンポーネント３３０を含む。特定の実施態様において、通信コンポーネント３３０は、アンカー・キャリア及び／又は補助キャリアを介して基地局ユニット３００とアクセス端末との間の通信を容易にするように構成される。例えば、通信コンポーネント３３０は、アンカー・キャリア及び／又は補助キャリアの上でアクセス端末によりとられるダウンリンク・メジャーメントを受信するために利用されても良い。通信コンポーネント３３０はまた、セル管理インストラクション（例えば、アクティブ・セットを更新する、サービング・セルを変更するなど）に加えて、トリガリング・アルゴリズムも、アクセス端末に送信するために利用されても良い。一つの実施態様において、通信コンポーネント３３０は、アンカー・キャリア上でのダウンリンク伝送を、補助キャリア上でのダウンリンク伝送と同期させるために、アンカー・キャリア及び補助キャリアのための共通時間参照（common time reference）を利用するように更に構成される。
【００３０】
他の態様において、基地局ユニット３００はまた、トリガー生成コンポーネント３４０を含む。ここで、トリガー生成コンポーネント３４０は、アクセス端末に提供されるトリガリング・アルゴリズムを生成するように構成される。そのような実施態様の中で、トリガリング・アルゴリズムは、アクセス端末が、アンカー・キャリア及び／又は補助キャリア上で起こるトリガー・イベントの検出に応じて、ダウンリンク・メジャーメントをレポートするためのインストラクションを含む。
【００３１】
トリガー生成コンポーネント３４０が様々なタイプのトリガー・イベントの任意のものをモニターする異なるタイプのトリガリング・アルゴリズムを生成してもよいことは認識されるべきである。例えば、トリガリング・アルゴリズムは、アクセス端末が、排他的にアンカー・キャリア上で（exclusively over the anchor carrier）、トリガー・イベントを検出するためのインストラクションを含むように生成されても良い。アンカー・キャリア・トリガー・イベントを検出すると、トリガリング・アルゴリズムは、排他的にアンカー・キャリア上で、又は、アンカー・キャリア及び補助キャリアの両方の上で、とられるダウンリンク・メジャーメントをレポートするようにアクセス端末に指示しても良い。
【００３２】
他の実施態様において、トリガー生成コンポーネント３４０は、アクセス端末がアンカー・キャリア及び補助キャリアの両方の上でトリガー・イベントを検出するトリガリング・アルゴリズムを生成するように構成される。ここで、アンカー・キャリア及び補助キャリアの両方から取り出されるダウンリンク・メジャーメント値は、各々の検出されたトリガー・イベントの後でレポートされても良いが、トリガー・イベントの一部は二重（duplicative）であることがあるので、そのようなレポーティング・スキームは、非効率であることがある。この非効率性を解決するために、トリガリング・アルゴリズムは、第１のトリガー・イベント（例えば、アンカー・キャリア上で）と第２のトリガー・イベント（例えば、補助キャリア上で）とを検出する間の経過時間を確認するようにアクセス端末に指示するように生成されても良い。ここで、経過時間が時間閾値を超えない場合にのみ、第２のトリガー・イベントに関連するダウンリンク・メジャーメントは、第１のトリガー・イベントに関連するダウンリンク・メジャーメントとともにレポートされる。
【００３３】
トリガー生成コンポーネント３４０はまた、アクセス端末が、排他的に補助キャリア上で起こるトリガー・イベントに従って、排他的に補助キャリア上でとられるメジャーメントをレポートするように指示されるトリガリング・アルゴリズムを生成するように構成されても良い。一実施態様において、そのようなトリガリング・アルゴリズムは、ダウンリンク・メジャーメントをとることと並行して圧縮モード・オペレーション（compressed mode operations）を実行することを容易にするために利用される。すなわち、ダウンリンク圧縮モードの間、受信を中止する代わりに、アクセス端末は、要求されたメジャーメントを実行するために補助キャリアに割り当てられた受信機を使用することができる。その間に、アンカー・キャリア上でのダウンリンク電力制御及びダウンリンク・データ伝送は、中断されずに続くことができる。したがって、そのようなアルゴリズムがデュアルキャリア受信を無効（disables）にするが、それは、アンカー・キャリアからのダウンリンク電力制御又はデータ伝送に影響を及ぼさない。
【００３４】
更にもう一つの態様において、基地局ユニット３００は、セル管理コンポーネント３５０を更に含む。そして、それは、アクセス端末に提供されるセル管理インストラクションを生成するように構成される。そのような実施態様の中で、セル管理インストラクションは、基地局によりに提供されるトリガリング・アルゴリズムによりトリガーされたアクセス端末から受信されるダウンリンク・メジャーメントに部分的に基づく。セル管理インストラクションは、アクティブ・セットを更新すること、サービング・セルを変更すること、又は、補助キャリアを有効／無効にすること（enabling/disabling）のためのインストラクションを含む数種類のセル管理インストラクションのうちの任意のものを含んでも良い。
【００３５】
図４に変わって、マルチキャリア・システムにおけるセルの管理を容易にするシステム４００が示される。例えば、システム４００は、基地局の内部に存在することができる。表されるように、システム４００は、プロセッサ、ソフトウェア、又はそれらの組み合せ（例えば、ファームウェア）により実装される機能を表すことができる機能ブロックを含む。システム４００は、共同して動作することができる電気コンポーネントの論理グループ４０２を含む。図示されるように、論理グループ４０２は、アンカー・キャリア又は補助キャリア４１０を介してアクセス端末と通信するための電気コンポーネント、及び、トリガリング・アルゴリズムを生成するための電気コンポーネント４１２を含むことができる。さらに、論理グループ４０２は、トリガリング・アルゴリズムをアクセス端末に送信するための電気コンポーネント４１４を含むことができる。論理グループ４０２はまた、アクセス端末からダウンリンク・メジャーメントを受信するための電気コンポーネント４１６も、セル管理インストラクションをアクセス端末に提供するための電気コンポーネント４１８も含むことができる。さらに、システム４００は、電気コンポーネント４１０，４１２，４１４，４１６及び４１８に関連する機能を実行するためのインストラクションを保持するメモリ４２０を含んでも良い。メモリ４２０の外部に存在するように示されるが、電気コンポーネント４１０，４１２，４１４，４１６及び４１８は、メモリ４２０の内部に存在することができることは認識されるべきである。
【００３６】
図５において、フローチャートが、基地局からマルチキャリア・システムでセルを管理するのを容易にするための例示的な手順の説明について提供される。図示されるように、プロセス５００は、ステップ５０５において開始する。ここでは、トリガリング・アルゴリズムが生成され、続いて、ステップ５１０において、アクセス端末に送信される。ここで、上記のトリガリング・アルゴリズムのうちの任意のものが生成／送信されてもよいことに留意されるべきである。例えば、そのようなトリガリング・アルゴリズムは、トリガー・イベントを定義し、これらのトリガー・イベントがアンカー・キャリア及び／又は補助キャリアの上でモニターされるべきかについて指図しても良い。トリガリング・アルゴリズムはまた、両方のキャリアからトリガーされるメジャーメントの“抑圧された（throttled）”レポートが実施（implemented）されるべきかどうかについてだけでなく、メジャーメントがアンカー・キャリア及び／又は補助キャリアからレポートされるべきかどうかについても指示しても良い。
【００３７】
ステップ５１０においてトリガリング・アルゴリズムを送信した後に、プロセス５００は、ステップ５１５へ進む。ここでは、基地局がアクセス端末からダウンリンク・メジャーメントを受信する。一旦、受信されると、基地局は、それから、複数の管理コマンドのうちのいずれがアクセス端末に送信されるべきかを確認するために（もしあれば）、ダウンリンク・メジャーメントを利用しても良い。例えば、判定は、新しいトリガリング・アルゴリズムが現在のダウンリンク状態に基づいてステップ５０５において生成されるべきかどうかに関して、ステップ５２０においてなされても良い。
【００３８】
ステップ５２０において新しいトリガリング・アルゴリズムが望まれないならば、一連の後続する決定が、他の管理コマンド（それらのようなコマンドは同時にアクセス端末に送信されても良い）が望ましいかどうかに関してなされる。ステップ５２５において、例えば、判定は、シングルキャリア・オペレーションとデュアルキャリア・オペレーションとの間で切り替えるかどうかに関してなされる。基地局が、ダウンリンク・トラフィック及びチャネル状態に基づいて補助キャリアを有効／無効（enable/disable）にすることを可能にすることによって、そのような特徴は、特にアクセス端末における省電力のために望ましい。このためには、ＨＳ−ＳＣＣＨオーダー（HS-SCCH orders）は、そのようなメカニズムを提供するのに用いられることができるであろう。アンカー・キャリア又は補助キャリアのいずれかが有効／無効（enabled/disabled）にされるべきことが判定されるならば、そのようなコマンドは、ステップ５３０において、アクセス端末への後続する伝送のために保存される。
【００３９】
図示されるように、ステップ５２５において、シングルキャリア・オペレーションとデュアルキャリア・オペレーションとの間で切り替えるべきかどうか判定した後に、必要に応じて、ステップ５３０において、そのようなコマンドを記録し、ステップ５３５において、プロセス５００は、アクティブ・セット更新を実行するかどうかの判定を続ける。例えば、あるダウンリンク状態の下で、第１のセクター及び第２のセクターを含むアクティブ・セットを割り当てることは、基地局にとって望ましい場合がある。ここで、第１のセクターは、シングルキャリアを介してアクセス端末と通信するように構成され、第２のセクターは、デュアルキャリアを介してアクセス端末と通信するように構成される。アクティブ・セット更新コマンドが必要であることが判定されたならば、ステップ５４０において、そのようなコマンドは、後続する伝送のために保存される。その後、プロセス５００は、ステップ５４５へ進む。一方、アクティブ・セット更新が必要でないならば、プロセス５００は、ステップ５３５から直接ステップ５４５へ進む。
【００４０】
ステップ５４５において、アクセス端末のセルの現在のサービング・セルが変更される必要があるかどうかについて判定がなされる。サービング・セルが確かに変更されるべきであることが判定されたならば、ステップ５５０において、そのような変更を指示するアクセス端末コマンドが記録される。プロセス５００は、それから、ステップ５５５に進む。ここでは、基地局は、何らかのコマンドがステップ５３０，５４０又は５５０のいずれかで記録されたかどうかについて判定する。コマンドが記録されていないならば、プロセスは、ステップ５１５へループバックする。ここでは、基地局がアクセス端末からダウンリンク・メジャーメントを受信し続ける。しかし、コマンドが確かに記録されているならば、プロセス５００がステップ５１５へループする直前に、ステップ５６０において、そのようなコマンドが集結され、アクセス端末に同時に送信される。ここで、同時に送信されるものとして説明されるが、これらのコマンドはまた別々に送信されてもよいことは認識されるべきである。
【００４１】
次に、図６を参照して、一実施態様に従った例示的なアクセス端末ユニットのブロック図が提供される。図示されるように、基地局ユニット６００は、プロセッサ・コンポーネント６１０、メモリ・コンポーネント６２０、通信コンポーネント６３０、測定コンポーネント６４０、トリガー・コンポーネント６５０、管理コンポーネント６６０、及びタイミング・コンポーネント６７０を含んでも良い。
【００４２】
基地局ユニット３００中のプロセッサ・コンポーネント３１０と同様に、プロセッサ・コンポーネント６１０は、複数の機能のうちの任意のものの実行に関係するコンピュータ読み取り可能なインストラクションを実行するように構成される。プロセッサ・コンポーネント６１０は、アクセス端末ユニット６００から通信される情報の解析、及び／又は、メモリ・コンポーネント６２０、通信コンポーネント６３０、測定コンポーネント６４０、トリガー・コンポーネント６５０、管理コンポーネント６６０、及び／又はタイミング・コンポーネント６７０により利用されることができる情報の生成のために専用される、単一のプロセッサ又は複数のプロセッサであることができる。加えて又は代わりに、プロセッサ・コンポーネント６１０は、アクセス端末ユニット６００の１又は複数のコンポーネントを制御するように構成されても良い。
【００４３】
他の態様において、メモリ・コンポーネント６２０は、プロセッサ・コンポーネント６１０に接続され且つプロセッサ・コンポーネント６１０により実行されるコンピュータ読み取り可能なインストラクションを格納するように構成されても良い。メモリ・コンポーネント６２０は、通信コンポーネント６３０、測定コンポーネント６４０、トリガー・コンポーネント６５０、管理コンポーネント６６０及び／又はタイミング・コンポーネント６７０のうちの任意のものにより生成されるデータを含む複数の他のタイプのデータのうちの任意のものを格納するように構成されても良い。ここで、メモリ・コンポーネント６２０は、基地局ユニット３００中のメモリ・コンポーネント３２０に類似している点に留意されるべきである。したがって、メモリ・コンポーネント３２０の上記の特徴／構成のうちの任意のものが同様にメモリ・コンポーネント６２０に適用できることは認識されるべきである。
【００４４】
基地局ユニット３００中の通信コンポーネント３３０と同様に、通信コンポーネント６３０は、プロセッサ・コンポーネント６１０に接続され且つアクセス端末ユニット６００を外部のエンティティーとインタフェースするように構成される。特定の実施態様において、通信コンポーネント６３０は、アンカー・キャリア及び／又は補助キャリアを介してアクセス端末ユニット６００と基地局との間の通信を容易にするように構成される。例えば、通信コンポーネント６３０は、ダウンリンク・メジャーメントを基地局に送信するために利用されても良い。ここで、ダウンリンク・メジャーメントは、アンカー・キャリア及び／又は補助キャリアの上でアクセス端末ユニット６００によりとられる。通信コンポーネント６３０はまた、セル管理インストラクション（例えば、アクティブ・セットを更新する、サービング・セルを変更するなど）に加えて、基地局からトリガリング・アルゴリズムも受信するために利用されても良い。
【００４５】
図示されるように、基地局ユニット６００はまた、測定コンポーネント（measurement component）６４０を含む。一つの態様において、測定コンポーネント６４０は、基地局から受信される信号から確認（ascertained）されるダウンリンク状態を記録するように構成される。さらに、ダウンリンク状態は、アンカー・キャリア及び／又は補助キャリアからとられるメジャーメントに従って記録される。
【００４６】
アクセス端末ユニット６００はまた、トリガー・コンポーネント６５０を含んでも良い。そして、それは、アンカー・キャリア及び／又は補助キャリアの上で起こるトリガー・イベントを検出するように構成される。一つの態様において、そのようなトリガー・イベントは、基地局から受信されるトリガリング・アルゴリズムにより定義される。ここで、記録されたダウンリンク状態は、各々のトリガー・イベントに応じて、基地局にレポートされる。
【００４７】
トリガー・コンポーネント６５０は、様々なタイプのトリガー・イベントの任意のものをモニターする異なるタイプのトリガリング・アルゴリズムを実行してもよいことは認識されるべきである。例えば、トリガリング・アルゴリズムは、アクセス端末が、排他的にアンカー・キャリア上で、トリガー・イベントを検出するように指示されるように実行されても良い。そのようなアンカー排他的トリガーを利用するアルゴリズムに関して前に述べられたように、排他的にアンカー・キャリア上で、又は、アンカー・キャリア及び補助キャリアの両方の上で、とられたダウンリンク・メジャーメントは、検出される各々のトリガー・イベントに応じて、送信されても良い。
【００４８】
他の実施態様において、トリガー・コンポーネント６５０は、アクセス端末ユニット６００がアンカー・キャリア及び補助キャリアの両方の上でトリガー・イベントを検出するトリガリング・アルゴリズムを実行するように構成される。ここで、前にも述べられたように、トリガリング・アルゴリズムは、第１のトリガー・イベント（例えば、アンカー・キャリアの上で）と第２のトリガー・イベント（例えば、補助キャリアの上で）とを検出する間の経過時間を確認するようにアクセス端末ユニット６００に指示するように実行されても良い。ここで、経過時間が時間閾値を超えない場合にのみ、第２のトリガー・イベントに関連するダウンリンク・メジャーメントは、第１のトリガー・イベントに関連するダウンリンク・メジャーメントとともにレポートされる。そのような実施態様を容易にするために、アクセス端末ユニット６００は、トリガーされたイベント間の経過時間を確認するためのタイミング・コンポーネント６７０を更に含んでも良い。
【００４９】
トリガー・コンポーネント６５０はまた、アクセス端末ユニット６００が、排他的な補助キャリア上でのトリガー・イベントのモニタリングに従って、排他的に補助キャリア上でとられるメジャーメントをレポートするトリガリング・アルゴリズムを実行するように構成されても良い。前に述べられたように、そのようなトリガリング・アルゴリズムは、ダウンリンク・メジャーメントをとることと並行して圧縮モード・オペレーションを実行することを容易にするために利用されても良い。さらに、アクセス端末ユニット６００は、要求されたメジャーメントを補助キャリアの上で実行することができるが、アンカー・キャリアの上でのダウンリンク電力制御及びダウンリンク・データ伝送は、中断されずに続く。
【００５０】
他の態様において、アクセス端末ユニット６００はまた、管理コンポーネント６６０を含む。ここで、管理コンポーネント６６０は、基地局から受信されるセル管理インストラクションを実行するように構成される。ここで、セル管理インストラクションは、アクセス端末ユニット６００によりレポートされるダウンリンク状態に応答して受信される。前に述べられたように、セル管理インストラクションは、アクティブ・セットを更新すること、サービング・セルを変更すること、又は、補助キャリアを有効／無効にすることのためのインストラクションを含む数種類のセル管理インストラクションのうちの任意のものを含んでも良い。
【００５１】
次に、図７を参照して、マルチキャリア・システムにおけるセルの管理を容易にする他のシステム７００が示される。例えば、システム７００は、アクセス端末の内部に存在することができる。システム５００と同様に、システム７００は、プロセッサ、ソフトウェア、又はそれらの組み合せ（例えば、ファームウェア）により実装される機能を表すことができる機能ブロックを含む。ここで、システム７００は、共同して動作することができる電気コンポーネントの論理グループ７０２を含む。図示されるように、論理グループ７０２は、アンカー・キャリア又は補助キャリアを介して基地局と通信するための電気コンポーネント７１０、及び、基地局から受信したトリガリング・アルゴリズムでアクセス端末を設定（configuring）するための電気コンポーネント７１２を含むことができる。さらに、論理グループ７０２は、アンカー・キャリア上で起こるトリガー・イベントを検出するための電気コンポーネント７１４を含むことができる。論理グループ７０２はまた、トリガー・イベントの検出に応答してダウンリンク・メジャーメントを基地局にレポートするための電気コンポーネント７１６も、基地局からセル管理インストラクションを受信するための電気コンポーネント７１８も含むことができる。さらに、システム７００は、電気コンポーネント７１０，７１２，７１４，７１６及び７１８に関連する機能を実行するためのインストラクションを保持するメモリ７２０を含んでも良い。ここで、電気コンポーネント７１０，７１２，７１４，７１６及び７１８のうちの任意のものは、メモリ７２０の内部又は外部に存在することができる。
【００５２】
図８において、フローチャートが、アクセス端末からのマルチキャリア・システムにおけるセルの管理を容易にするための例示的な手順の説明について提供される。図示されるように、プロセス８００は、ステップ８０５において開始する。ここでは、アクセス端末がデュアルキャリア・オペレーションのために設定（configured）される。一つの態様において、そのような設定ステップは、基地局から、コンフィギュレーション・データを受信することを含んでも良い。ここで、トリガリング・アルゴリズムは、コンフィギュレーション・データの内部に組み込まれていても良い。しかし、アクセス端末はまた、基地局とは独立して、（例えば、マニュアルで及び／又は製造者による事前設定で）設定されても良いことは認識されるべきである。
【００５３】
一旦、設定されたならば、ステップ８１０において、アクセス端末は、基地局からインストラクション及びトラフィック・データを受信し始める。次に、ステップ８０５において、プロセス８００は、アクセス端末と基地局との間の通信が、シングルキャリアを介するであろうか又はデュアルキャリアを介するであろうかについての判定を続ける。前に述べられたように、確かに、基地局から受信されるインストラクションは、アクセス端末における電力を節約するために、シングルキャリア・オペレーションとデュアルキャリア・オペレーションとを切り換えることを含んでも良い。基地局のインストラクションがシングルキャリア・オペレーションのために提供されるならば、ステップ８２０において、補助キャリアは無効にされる。ここで、プロセス８００は、ステップ８１０におけるデータ／インストラクションの受信にループバックする。
【００５４】
デュアルキャリア・オペレーションが指示されるならば、プロセス８００は、ステップ８２５に進む。ここでは、アンカー・キャリア及び補助キャリアが有効にされる。それから、ステップ８３０において、基地局がアクセス端末にトリガー・イベントのモニターを望む（１又は複数の）キャリアに関して、判定がなされる。アクセス端末が、排他的にアンカー・キャリアの上でトリガー・イベントをモニターするように指示されるならば、プロセス８００は、ステップ８３５へ進む。一方、アンカー・キャリア及び補助キャリアの両方の上でトリガー・イベントをモニターすることが望まれるならば、プロセス８００は、ステップ８５０へ進む。
【００５５】
ステップ８３５において、排他的にアンカー・キャリアの上でトリガー・イベントをモニターすることに関して、アクセス端末は、基地局とアクセス端末との間のダウンリンク状態をモニタリングすることによって、開始する。ここで、モニタリング・スキームは、排他的にアンカー・キャリアの上で、又は、アンカー・キャリア及び補助キャリアの両方の上で、ダウンリンク・メジャーメントを記録することを含んでもよい点に留意されるべきである。ステップ８４０において、アンカー・キャリアの上でトリガー・イベントが検出されたならば、ステップ８４５において、ダウンリンク・メジャーメント（排他的にアンカー・キャリアから、又は、アンカー・キャリア及び補助キャリアの両方から、集結される）は基地局にレポートされる。それらのダウンリンク・メジャーメントをレポートすると、プロセス８００は、ダウンリンク・メジャーメントがモニターされ続けるステップ８３５へループバックする。しかし、ステップ８４０において、トリガー・イベントが検出されなかったならば、図示されるように、プロセス８００は、ステップ８３５へ直接ループバックする。
【００５６】
ステップ８５０において、アンカー・キャリア及び補助キャリアの上でトリガー・イベントをモニターすることに関して、アクセス端末は、アンカー・キャリア及び補助キャリアの両方の上でダウンリンク状態をモニタリングによって、開始する。ステップ８５５において、アンカー・キャリア又は補助キャリアのいずれの上でもトリガー・イベントが検出されなかったならば、プロセス８００は、ダウンリンク・メジャーメントがモニターされ続けるステップ８５０へループバックする。しかし、トリガーが確かに検出されたならば、第１のトリガーされたイベントの後で検出されたトリガーされたイベントに関連するダウンリンク・メジャーメントをステップ８６５でレポートするべきかどうか判定するために、ステップ８６０において、時間閾値の比較がなされる。例えば、第１のトリガーされたイベントが検出されたならば、トリガーされたイベントに関連するダウンリンク・メジャーメント値が直ちにレポートされても良い。ここで、トリガーされたイベント間の経過時間が時間閾値を超える場合にのみ、その後にトリガーされたイベントに関連するダウンリンク・メジャーメント値が、レポートされる。他の実施態様において、第１のトリガーされたイベントが検出されたならば、トリガーされたイベント間の経過時間が時間閾値を超えない場合にのみ、その後にトリガーされたイベントに関連するダウンリンク・メジャーメントは、第１のトリガー・イベントに関連するダウンリンク・メジャーメントとともにレポートされる。一旦、ダウンリンク・メジャーメントがレポートされたならば、プロセス８００は、ダウンリンクがモニターされ続けるステップ８５０へループバックする。
【００５７】
さて、図９を参照して、本明細書で示される様々な実施態様に従って無線通信システム９００が説明される。システム９００は、複数のアンテナ・グループを含むことができる基地局９０２を含む。例えば、一つのアンテナ・グループはアンテナ９０４及び９０６を含むことができ、他のグループはアンテナ９０８及び９１０を含むことができ、更なるグループはアンテナ９１２及びと９１４を含むことができる。各々のアンテナ・グループについて、二つのアンテナが示される;しかし、各々のグループについて、より多い又はより少ないアンテナが利用されることができる。基地局９０２は、送信機チェーン及び受信機チェーンを更に含むことができる。送信機チェーン及び受信機チェーンのそれぞれは、順番に、信号の送信及び受信に関連する複数のコンポーネント（例えば、プロセッサ、変調器、マルチプレクサ、復調器、デマルチプレクサ、アンテナなど）を含むことができる。そして、そのことは、当業者により認識されるであろう。
【００５８】
基地局９０２は、１又は複数のアクセス端末（例えば、アクセス端末９１６及びアクセス端末９２２）と通信することができる；しかし、基地局９０２が、アクセス端末９１６及び９２２に類似した実質的に任意の数のアクセス端末と通信することができることは、認識されるべきである。アクセス端末９１６及び９２２は、例えば、携帯電話、高度自動機能電話、ラップトップ、携帯通信デバイス、携帯コンピュータデバイス、衛星ラジオ、グローバル・ポジショニング・システム、ＰＤＡ、及び／又は無線通信システム９００上で通信するための任意の他の適したデバイスであることができる。表されるように、アクセス端末９１６は、アンテナ９１２及び９１４と通信する。ここで、アンテナ９１２及び９１４は、順方向リンク９１８の上でアクセス端末９１６に情報を送信し、逆方向リンク９２０の上でアクセス端末９１６から情報を受信する。さらに、アクセス端末９２２は、アンテナ９０４及び９０６と通信する。ここで、アンテナ９０４及び９０６は、順方向リンク９２４の上でアクセス端末９２２に情報を送信し、逆方向リンク９２６の上でアクセス端末９２２から情報を受信する。周波数分割双方向（ＦＤＤ）システムにおいて、例えば、順方向リンク９１８は、逆方向リンク９２０により用いられる周波数バンドとは異なる周波数バンドを利用することができ、順方向リンク９２４は、逆方向リンク９２６により使用される周波数バンドとは異なる周波数バンドを使用することができる。さらに、時分割双方向（ＴＤＤ）システムにおいて、順方向リンク９１８及び逆方向リンク９２０は、共通の周波数バンドを利用することができ、また、順方向リンク９２４及び逆方向リンク９２６は、共通の周波数バンドを利用することができる。
【００５９】
各々のアンテナ・グループ及び／又はそれらが通信するために指定されたエリアは、基地局９０２のセクターと呼ばれることができる。例えば、アンテナ・グループは、基地局９０２によりカバーされる複数のエリアのうちの一つセクターにおいてアクセス端末に通信するようにデザインされることができる。順方向リンク９１８及び９２４の上での通信において、基地局９０２の送信アンテナは、アクセス端末９１６及び９２２について順方向リンク９１８及び９２４の信号対雑音比を改善するために、ビームフォーミングを利用することができる。また、基地局９０２は、関連するカバレージのいたるところにランダムに散在するアクセス端末９１６及び９２２に送信するためにビームフォーミングを利用する間、近隣のセル中のアクセス端末は、すべてのそのアクセス端末に対してシングル・アンテナを通して送信する基地局と比較して、より少ない干渉を被ることができる。
【００６０】
図１０は、例である無線通信システム１０００を表す。簡潔さのためのために、無線通信システム１０００は、一つの基地局１０１０及び一つのアクセス端末１０５０を表す。しかし、システム１０００が、２以上の基地局及び／又は２以上のアクセス端末を含むことができることは認識されるべきである。ここで、更なる基地局及び／又はアクセス端末は、下で説明される例である基地局１０１０及びアクセス端末１０５０と、実質的に同様であることもでき、あるいは、異なることもできる。さらに、基地局１０１０及び／又はアクセス端末１０５０は、それらの間の無線通信を容易にするために、本明細書で説明されるシステム及び／又は方法を使用することができることは、認識されるべきである。
【００６１】
基地局１０１０において、複数のデータストリームのためのトラフィック・データは、データソース１０１２から送信（ＴＸ）データプロセッサ１０１４に供給される。一つの例によると、各々のデータストリームは、それぞれのアンテナの上で送信されることができる。ＴＸデータプロセッサ１０１４は、符号化データを供給するために、そのデータストリームのために選択された特定の符号化スキームに基づいて、該トラフィック・データストリームを、フォーマットし、符号化し、そして、インターリーブする。
【００６２】
各々のデータストリームのための符号化データは、直交周波数分割多重（ＯＦＤＭ）技術を使用して、パイロット・データとともに多重化されることができる。加えて又は代わりに、パイロット・シンボルは、周波数分割多重化（ＦＤＭ）されることができ、時分割多重化（ＴＤＭ）されることができ、あるいは、符号分割多重化（ＣＤＭ）されることができる。パイロット・データは、一般的に、既知の方法で処理される既知のデータ・パターンであり、また、チャネル・レスポンスを推定するためにアクセス端末１０５０において使用されることができる。各々のデータストリームのための多重化及び符号化されたパイロット・データは、変調シンボルを供給するために、そのデータストリームのために選択された特定の変調スキーム（例えば、２位相偏移変調（ＢＰＳＫ）、４位相偏移変調（ＱＰＳＫ）、Ｍ−位相偏移変調（Ｍ−ＰＳＫ）、Ｍ−直交振幅変調（Ｍ−ＱＡＭ）など）に基づいて、変調することができる（例えば、シンボルはマッピングした）により変調されることができる。各々のデータストリームに関するデータレート、符号化及び変調は、プロセッサ１０３０により実行又は提供されるインストラクションにより判定されることができる。
【００６３】
上記データストリームのための上記変調シンボルは、ＴＸ ＭＩＭＯプロセッサ１０２０に供給されることができる。そして、ＴＸ ＭＩＭＯプロセッサ１０２０は、該変調シンボルを更に処理することができるＴＸ ＭＩＭＯプロセッサ１０２０は、それから、ＮＴ個の変調シンボルストリームをＮＴ個の送信機（ＴＭＴＲ）１０２２ａ〜１０２２ｔに供給する。様々な実施態様において、ＴＸ ＭＩＭＯプロセッサ１０２０は、ビームフォーミング重荷を、該データストリームのシンボルに、及び、該シンボルが送信されているアンテナに、適用する。
【００６４】
各々の送信機１０２２は、１又は複数のアナログ信号を供給するために、それぞれのシンボルストリームを受信して処理し、更に、該ＭＩＭＯチャネルの上での送信に適した変調信号を提供するために、該アナログ信号を調整（conditions）（例えば、増幅、フィルタリング、及びアップコンバート）する。さらに、送信機１０２２ａ〜１０２２ｔからのＮＴ個の変調信号は、それぞれ、ＮＴ個のアンテナ１０２４ａ〜１０２４ｔから送信される。
【００６５】
アクセス端末１０５０において、上記送信された変調信号は、ＮＲ個のアンテナ１０５２ａ〜１０５２ｒにより受信され、そして、該各々のアンテナ１０５２からの受信信号は、それぞれの受信機（ＲＣＶＲ）１０５４ａ〜１０５４ｒに供給される。各々の受信機１０５４は、それぞれの信号を調整（例えば、フィルタリング、増幅、及びダウンコンバート）し、サンプルを提供するために、該調整された信号をデジタイズし、そして、さらに、対応する“受信された（received）”シンボルストリームを提供するために、該サンプルを処理する。
【００６６】
ＲＸデータプロセッサ１０６０は、ＮＴ個の“検出された（detected）”シンボルストリームを供給するために、特定の受信機処理技術に基づいて、ＮＲ個の受信機１０５４からの該ＮＲ個の受信シンボルストリームを、受信して処理することができる。ＲＸデータプロセッサ１０６０は、上記データストリームのためのトラフィック・データをリカバーするために、各々の検出されたシンボルストリームを、復調し、デインターリーブし、そして、復号化することができる。ＲＸデータプロセッサ１０６０による処理は、基地局１０１０におけるＴＸ ＭＩＭＯプロセッサ１０２０及びＴＸデータプロセッサ１０１４により実行されるそれと相補的である。
【００６７】
プロセッサ１０７０は、上で示したように、いずれの利用可能な技術を利用するべきかについて、周期的に判定することができる。さらに、プロセッサ１０７０は、マトリックス・インデックスの部分及びランク値の部分を含む逆方向リンク・メッセージを作成（formulate）することができる。
【００６８】
逆方向リンク・メッセージは、通信リンク及び／又は受信されたデータストリームに関して様々なタイプの情報を含むことができる。逆方向リンク・メッセージは、ＴＸデータプロセッサ１０３８により処理されることができる。ＴＸデータプロセッサ１０３８はまた、変調器１０８０により変調され、送信機１０５４ａ〜１０５４ｒにより調整され、そして、もとの基地局１０１０へ送信される複数のデータストリームのためにトラフィック・データを、データソース１０３６から受け取る。
【００６９】
基地局１０１０において、アクセス端末１０５０からの変調信号は、アンテナ１０２４により受信され、受信機１０２２により調整され、復調器１０４０により復調され、そして、アクセス端末１０５０により送信された逆方向リンク・メッセージを抽出するために、ＲＸデータプロセッサ１０４２により処理される。さらに、プロセッサ１０３０は、ビームフォーミング重みの判定のためにいずれのプリコーディング・マトリックスを使用するべきかについて判定するために、該抽出されたメッセージを処理することができる。
【００７０】
プロセッサ１０３０及び１０７０は、基地局１０１０及びアクセス端末１０５０におけるオペレーションをそれぞれ指示（direct）（例えば、制御、調整（coordinate）、管理など）することができる。それぞれのプロセッサ１０３０及び１０７０は、プログラム・コード及びデータを格納するメモリ１０３２及び１０７２に関係することができる。プロセッサ１０３０及び１０７０はまた、それぞれ、アップリンク及びダウンリンクのための周波数及びインパルス応答推定を得るために、計算を実行することができる。
【００７１】
図１１は、様々な態様に従った例示的な基地局１１００を示す。基地局１１００は、それぞれの異なるセクター・タイプのセルのために生成される異なるトーン・サブセット割り当てシーケンスで、トーン・サブセット割り当てシーケンスを実装する。基地局１１００は、受信機１１０２、送信機１１０４、プロセッサ１１０６（例えば、ＣＰＵ）、入出力インタフェース１１０８及びメモリ１１１０（それらは、様々な要素１１０２,１１０４,１１０６,１１０８及び１１１０がその上でデータ及び情報を交換することができるバス１１０９により共に接続される）を含む。
【００７２】
セクタライズ・アンテナ１１０３に接続された受信機１１０２は、基地局のセルの中の各々のセクターからの無線端末のトランスミッションから、データ及び他の信号（例えば、レポート）を受信するために使用される。セクタライズ・アンテナ１１０５に接続された送信機１１０４は、基地局のセルの各々のセクターの中で、無線端末１２００（図１２を参照）に、データ及び他の信号（例えば、制御信号、パイロット信号、ビーコン信号など）を送信するために使用される。様々な態様において、基地局１１００は、複数の受信機１１０２及び複数の送信機１１０４（例えば、各々のセクターのための個々の受信機１１０２及び各々のセクターのための個々の送信機１１０４）を使用しても良い。プロセッサ１１０６は、例えば、汎用中央演算処理装置（ＣＰＵ）であっても良い。プロセッサ１１０６は、メモリ１１１０に格納される１又は複数のルーチン１１１８の指示の下で基地局１１００のオペレーションを制御し、方法を実行する。Ｉ／Ｏインタフェース１１０８は、他のネットワーク・ノードへのコネクション（ＢＳ１１００を、他の基地局、アクセス・ルータ、ＡＡＡサーバー・ノードなど、他のネットワーク及びインターネットに接続させる）を提供する。メモリ１１１０は、ルーチン群１１１８及びデータ／情報１１２０を含む。
【００７３】
データ／情報１１２０は、データ１１３６、ダウンリンク・ストリップ−シンボル時間情報１１４０及びダウンリンク・トーン情報１１４２を含むトーン・サブセット割り当てシーケンス情報１１３８、及び、ＷＴ情報の複数のセット（ＷＴ １情報１１４６及びＷＴ Ｎ情報１１６０）を含む無線端末（ＷＴ）データ／情報１１４４を含む。ＷＴ情報の各々のセット（例えば、ＷＴ １ １１４６）は、データ１１４８、端末ＩＤ １１５０、セクターＩＤ １１５２、アップリンク・チャネル情報１１５４、ダウンリンク・チャネル情報１１５６、及び、モード情報１１５８を含む。
【００７４】
ルーチン群１１１８は、通信ルーチン群１１２２及び基地局制御ルーチン１１２４を含む。基地局制御ルーチン１１２４は、スケジューラ・モジュール１１２６、及び、ストリップ−シンボル期間（strip-symbol periods）のためのトーン・サブセット割り当てルーチン１１３０と残りのシンボル期間（例えば、非ストリップ−シンボル期間）のための他のダウンリンク・トーン割り当てホッピング・ルーチン１１３２とビーコン・ルーチン１１３４とを含むシグナリング・ルーチン１１２８を含む。
【００７５】
データ１１３６は、ＷＴへの送信に先立つ符号化のために送信機１１０４のエンコーダ１１１４に送られるであろう、送信されるべきデータ、及び、受信に続いて受信機１１０２のデコーダ１１１２を通して処理された、ＷＴからの受信データを含む。ダウンリンク・ストリップ−シンボル時間情報１１４０は、フレーム同期化構造情報（例えば、スーパースロット、ビーコンスロット及びウルトラスロット構造情報）、及び、与えられたシンボル期間がストリップ−シンボル期間であるかを及びストリップ−シンボルが基地局により用いられるトーン・サブセット割り当てシーケンスを打ち切る（truncate）ためのリセットポイントであるかを特定する情報（及び、与えられたシンボル期間がストリップ−シンボル期間である場合におけるストリップ−シンボル期間のインデックス）を含む。ダウンリンク・トーン情報１１４２は、基地局１１００に割り当てられるキャリア周波数、トーンの数及び周波数、及び、ストリップ−シンボル期間に割り当てられるトーン・サブセットのセット、及び、他のセル及びセクターに特有の値（例えば、スロープ、スロープ・インデックス及びセクター・タイプなど）を含む情報を含む。
【００７６】
データ１１４８は、ＷＴ １ １２００がピアノードから受信したデータ、ＷＴ １ １２００がピアノードに送信されることを望むデータ、及び、ダウンリンク・チャネル品質レポート・フィードバック情報を含んでも良い。端末ＩＤ １１５０は、ＷＴ １ １２００を識別するＩＤを割り当てられる基地局１１００である。セクターＩＤ １１５２は、ＷＴ １ １２００がオペレートしているセクターを識別する情報を含む。セクターＩＤ １１５２は、例えば、セクター・タイプを判定するのに用いられることができる。アップリンク・チャネル情報１１５４は、使用するＷＴ １ １２００のためにスケジューラ１１２６により割り当てられたチャネル・セグメントを識別する情報（例えば、データのためのアップリンク・トラフィック・チャネル・セグメント、リクエストのための専用アップリンク制御チャネル、電力制御、タイミング制御など）を含む。ＷＴ １ １２００に割り当てられる各々のアップリンク・チャネルは、１又は複数の論理トーンを含み、各々の論理トーンは、アップリンク・ホッピング・シーケンスに続く。ダウンリンク・チャネル情報１１５６は、データ及び／又は情報をＷＴ １ １２００へ伝達するためにスケジューラ１１２６により割り当てられたチャネル・セグメント（例えば、ユーザ・データのためのダウンリンク・トラフィックチャネル・セグメント）を識別する情報を含む。ＷＴ １ １２００に割り当てられる各々のダウンリンク・チャネルは、１又は複数の論理トーンを含み、各々がダウンリンク・ホッピング・シーケンスに続く。モード情報１１５８は、ＷＴ １ １２００（例えば、スリープ（sleep）、ホールド（hold）、オン（on））のオペレーション・ステートを識別する情報を含む。
【００７７】
通信ルーチン群１１２２は、様々な通信オペレーションを実行（perform）し、様々な通信プロトコルを実行(implement）するように、基地局１１００を制御する。基地局制御ルーチン群１１２４は、基本的な基地局機能タスク（例えば、信号生成及び受信、スケジューリング）を実行するように、及び、ストリップ−シンボル期間の間にトーン・サブセットり割当てシーケンスを使用して無線端末に信号を送信することを含む幾つかの態様の方法のステップを実行するように、基地局１１００を制御する。
【００７８】
シグナリング・ルーチン１１２８は、受信機１１０２（そのデコーダ１１１２をともなう）及び送信機１１０４（そのエンコーダ１１１４をともなう）のオペレーションを制御する。シグナリング・ルーチン１１２８は、送信されたデータ１１３６及び制御情報の生成を制御する役割を果たす。トーン・サブセット割当てルーチン１１３０は、態様の方法を使用するとともに、ダウンリンク・ストリップ−シンボル時間情報１１４０及びセクターＩＤ １１５２を含むデータ／情報１１２０を使用して、ストリップ−シンボル期間において使用されるべきトーン・サブセットを構成（constructs）する。ダウンリンク・トーン・サブセット割り当てシーケンスは、一つのセル中の各々のセクター・タイプについて異なり、また、隣接するセルについて異なるであろう。ＷＴ １２００は、ダウンリンク・トーン・サブセット割り当てシーケンスに従って、ストリップ−シンボル期間において信号を受信する；基地局１１００は、送信された信号を生成するために、同一のダウンリンク・トーン・サブセット割り当てシーケンスを使用する。他のダウンリンク・トーン割り当てホッピング・ルーチン１１３２は、ストリップ−シンボル期間以外のシンボル期間の間、ダウンリンク・トーン情報１１４２及びダウンリンク・チャネル情報１１５６を含む情報を使用して、ダウンリンク・トーン・ホッピング・シーケンスを構成（constructs）する。ダウンリンク・データ・トーン・ホッピング・シーケンスは、一つのセルの複数のセクターにわたって同期される。ビーコン・ルーチン１１３４は、ビーコン信号（例えば、１又は少しのトーンに集中される比較的高い電力の信号）のトランスミッションを制御する。そして、それは、同期の目的のために、例えば、ダウンリンク信号のフレーム・タイミング構造、したがって、ウルトラスロット境界線に関して、トーン・サブセット割当てシーケンスを同期させるために、使用されても良い。
【００７９】
図１２は、例示的な無線端末（エンドノード）１２００を示す。無線端末１２００は、トーン・サブセット割り当てシーケンスを実装する。無線端末１２００は、デコーダ１２１２を含む受信機１２０２、エンコーダ１２１４を含む送信機１２０４、プロセッサ１２０６及びメモリ１２０８（それらは、様々な要素１２０２,１２０４,１２０６及び１２０８がその上でデータ及び情報を交換することができるバス１２１０により共に接続される）を含む。基地局（及び／又は異なる無線端末）からの受信信号のために使用されるアンテナ１２０３は、受信機１２０２に接続される。信号を例えば基地局（及び／又は異なる無線端末）に送信するために使用されるアンテナ１２０５は、送信機１２０４に接続される。
【００８０】
プロセッサ１２０６（例えば、ＵＰＵ）は、メモリ１２０８中のルーチン１２２０を実行することによって、及び、メモリ１２０８中のデータ／情報１２２２を使用して、無線端末１２００のオペレーションを制御し、方法を実行する。
【００８１】
データ／情報１２２２は、ユーザ・データ１２３４、ユーザ情報１２３６及びトーン・サブセット割り当てシーケンス情報１２５０を含む。ユーザ・データ１２３４は、送信機１２０４による基地局への送信に先立つ符号化のためにエンコーダ１２１４に送られるであろう、ピア・ノードに向けられたデータ、及び、受信機１２０２中のデコーダ１２１２により処理された、基地局から受信されたデータを含んでも良い。ユーザ情報１２３６は、アップリンク・チャネル情報１２３８、ダウンリンク・チャネル情報１２４０、端末ＩＤ情報１２４２、基地局ＩＤ情報１２４４、セクターＩＤ情報１２４６及びモード情報１２４８を含む。アップリンク・チャネル情報１２３８は、基地局への送信のときに使用するために無線端末１２００のために基地局により割り当てられていたアップリンク・チャネル・セグメントを識別する情報を含む。アップリンク・チャネルは、アップリンク・トラフィックチャネル、専用アップリンク制御チャネル（例えば、リクエスト・チャネル、電力制御チャネル及びタイミング制御チャネル）を含んでも良い。各々のアップリンク・チャネルは、１又は複数の論理トーンを含み、各々の論理トーンは、アップリンク・トーン・ホッピング・シーケンスに続く。アップリンク・ホッピング・シーケンスは、セルの各々のセクター・タイプの間で、隣接したセルの間で、異なる。ダウンリンク・チャネル情報１２４０は、基地局がＷＴ １２００にデータ／情報を送信しているとき、使用のために基地局によりＷＴ １２００に割り当てられていたダウンリンク・チャネル・セグメントを識別する情報を含む。ダウンリンク・チャネルは、ダウンリンク・トラフィックチャネル及び割り当てチャネルを含んでも良い。各々のダウンリンク・チャネルは、１又は複数の論理トーンを含み、各々の論理トーンは、ダウンリンク・ホッピング・シーケンスに続く。ダウンリンク・ホッピング・シーケンスは、セルの各々のセクターの間で同期される。
【００８２】
ユーザ情報１２３６はまた、基地局割り当て識別情報である端末ＩＤ情報１２４２、ＷＴがそれとの通信を確立した特定の基地局を識別する基地局ＩＤ情報１２４４、及び、ＷＴ １２００が現在位置するセルの特定のセクターを識別するセクターＩＤ情報１２４６を含む。基地局ＩＤ １２４４は、セル・スロープ値を提供し、セクターＩＤ情報１２４６は、セクター・インデックス・タイプを提供する；該セル・スロープ値及びセクター・インデックス・タイプは、トーン・ホッピング・シーケンスを得るため使用されても良い。ユーザ情報１２３６に含まれるモード情報１２４８はまた、ＷＴ １２００がスリープ・モードにあるか、ホールド・モードにあるか、又は、オン・モードにあるかを識別する。
【００８３】
トーン・サブセット割り当てシーケンス情報１２５０は、ダウンリンク・ストリップ−シンボル時間情報１２５２及びダウンリンク・トーン情報１２５４を含む。ダウンリンク・ストリップ−シンボル時間情報１２５２は、フレーム同期化構造情報（例えば、スーパースロット、ビーコンスロット及びウルトラスロット構造情報、並びに、与えられたシンボル期間がストリップ−シンボル期間であるかを及びストリップ−シンボルが基地局により用いられるトーン・サブセット割り当てシーケンスを打ち切るためのリセットポイントであるかを特定する情報（及び、与えられたシンボル期間がストリップ−シンボル期間である場合におけるストリップ−シンボル期間のインデックス）を含む。ダウンリンク・トーン情報１２５４は、基地局に割り当てられるキャリア周波数、トーンの数及び周波数、及び、ストリップ−シンボル期間に割り当てられるトーン・サブセットのセット、及び、他のセル及びセクターに特有の値（例えば、スロープ、スロープ・インデックス及びセクター・タイプなど）を含む情報を含む。
【００８４】
ルーチン群１２２０は、通信ルーチン群１２２４及び無線端末制御ルーチン群１２２６を含む。通信ルーチン群１２２４は、ＷＴ １２００により使用される様々な通信プロトコルを制御する。無線端末制御ルーチン群１２２６は、受信機１２０２及び送信機１２０４の制御を含む基本的な無線端末１２００の機能性を制御する。無線端末制御ルーチン群１２２６は、シグナリング・ルーチン群１２２８を含む。シグナリング・ルーチン１２２８は、ストリップ−シンボル期間のためのトーン・サブセット割り当てルーチン１２３０及び残りのシンボル期間（例えば、非ストリップ−シンボル期間）のための他のダウンリンク・トーン割り当てホッピング・ルーチン１２３２を含む。トーン・サブセット割り当てルーチン１２３０は、幾つかの態様に従ったダウンリンク・トーン・サブセット割り当てシーケンスを生成し、そして、基地局から送信された受信データを処理するために、ダウンリンク・チャネル情報１２４０、基地局ＩＤ情報１２４４（例えば、スロープ・インデックス及びセクター・タイプ）、及びダウンリンク・トーン情報１２５４を含むユーザ・データ／情報１２２２を使用する。他のダウンリンク・トーン割り当てホッピング・ルーチン１２３０は、ストリップ−シンボル期間以外のシンボル期間の間、ダウンリンク・トーン情報１２５４及びダウンリンク・チャネル情報１２４０を含む情報を使用して、ダウンリンク・トーン・ホッピング・シーケンスを構成（constructs）する。トーン・サブセット割当てルーチン１２３０は、プロセッサ１２０６により実行されるとき、無線端末１２００が基地局から、いつ、いずれのトーンの上で、１又は複数のストリップ−シンボル信号を受信することになっているかについて判定するために使用される。アップリンク・トーン割り当てホッピング・ルーチン１２３０は、それがどのトーン上で送信するべきかについて判定するために、基地局から受信される情報とともに、トーン・サブセット割り当て機能を使用する。
【００８５】
一つ又は複数の例示的な実施形態において、説明される機能は、ハードウェア、ソフトウェア、ファームウェア、又はそれらの任意の組み合わせにより実行されても良い。ソフトウェアで実装される場合には、機能は、コンピュータ読み取り可能な媒体に、１又は複数のインストラクション又はコードとして、格納され又は伝送されても良い。コンピュータ読み取り可能な媒体は、或る場所から他の場所へのコンピュータ・プログラムの転送を容易にする任意の媒体を含むコンピュータ記憶媒体及び通信媒体の両方を含む。記憶媒体は、コンピュータによってアクセスできる任意の利用可能な媒体であっても良い。制限ではなく、例として、上記コンピュータ読み取り可能な媒体は、ＲＡＭ、ＲＯＭ、ＥＥＰＲＯＭ、ＣＤ−ＲＯＭ、他の光ディスク記憶装置、磁気ディスク記憶装置若しくは他の磁気記憶装置、又は、インストラクション若しくはデータ構造の形で所望のプログラム・コード手段を伝えるかか若しくは記憶するのに使用でき、且つ、コンピュータによってアクセスできる任意の他の媒体を含むことができる。また、任意のコネクション（connection）は、適切にコンピュータ読み取り可能な媒体と呼ばれる。例えば、同軸ケーブル、光ファイバーケーブル、ツイストペア、デジタル加入者線（ＤＳＬ）、又は、例えば赤外線、無線、マイクロ波のような無線技術を使用することによって、ウェブサイト、サーバ、又は他のリモートソースからソフトウェアが送信される場合に、その同軸ケーブル、光ファイバーケーブル、ツイストペア、ＤＳＬ、又は、例えば赤外線、無線、マイクロ波のような無線技術は、媒体の定義に含まれる。本明細書で用いられるディスク（Disk）及びディスク（disc）は、コンパクトディスク（ＣＤ）、レーザーディスク（登録商標）、光ディスク、デジタルバーサタイルディスク（ＤＶＤ）、フロッピー（登録商標）ディスク及びブルーレイディスク（登録商標）を含む。ここで、ディスク（disks）は、通常、磁気的にデータを複製（reproduce）し、一方、ディスク（discs）は、レーザーを使って光学的にデータをさせる。上記の組み合わせはまた、コンピュータ読み取り可能な媒体の範囲の中に含まれるべきである。
【００８６】
実施形態がプログラム・コード又はコード・セグメントで実装される場合、コード・セグメントは、手続き、関数、サブプログラム、プログラム、ルーチン、サブルーチン、モジュール、ソフトウェア・パッケージ、クラスを表すことができ、又は、インストラクション、データ構造若しくはプログラム・ステートメントの任意の組合せを表すことができることは認識されるべきである。コード・セグメントは、情報、データ、引数、パラメータ又はメモリ内容をパス及び／又は受信することによって、他のコード・セグメント又はハードウェア回路に接続されることができる。情報、引数、パラメータ、データなどは、メモリ共有、メッセージ・パッシング、トークン・パッシング、ネットワーク伝送など含む任意の適当な手段を用いて、パス、フォワード又は送信されることができる。さらに、幾つかの態様において、方法又はアルゴリズムのステップ及び／又はアクションは、機械読み取り可能な媒体及び／又はコンピュータ読み取り可能な媒体の上の１つの又は任意の組み合せ若しくはセットのコード及び／又はインストラクションとして存在することができる。そして、それは、コンピュータ・プログラム製品に組み込まれることができる。
【００８７】
ソフトウェア実装については、本明細書で説明される技術は、本明細書で説明される機能を実行するモジュール（例えば、手続き、関数、その他）で実装されることができる。ソフトウェア・コードは、メモリ・ユニットに記憶されて、プロセッサにより実行されることができる。メモリ・ユニットは、プロセッサの内部又は外部に実装されることが可能であり、その場合には、それは、当該技術分野において知られている様々な手段を通じて該プロセッサに通信で接続されることができる。
【００８８】
ハードウェア実装については、処理ユニットは、１又は複数の特定用途向けＩＣ（ＡＳＩＣ）、デジタルシグナルプロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡｓ）、プロセッサ、コントローラ、マイクロコントローラ、マイクロプロセッサ、本明細書で説明された機能を実行するようにデザインされた他の電子ユニット、又はそれらの組合せの中で実装されることができる。
【００８９】
上に説明されたことは、一つ又は複数の実施形態の例を含む。前述の実施形態を説明することを目的としてコンポーネント又は手順の考えられる組み合わせをすべて説明することはもちろん可能ではないが、様々な実施形態の多数のさらなる組み合わせ又は置換が可能であることを当業者は認識するであろう。したがって、説明された実施形態は、添付のクレームの範囲内に含まれるそのような変更、修正及び変形をすべて包含することを意図されている。さらに、語句“含む（includes）”が詳細な説明又はクレームのいずれかにおいて使用される範囲内において、上記語句は、語句“備える、含む（comprising）”がクレームにおいてつなぎ詞（transitional word）として用いられた場合に“備える、含む（comprising）”として解釈されるのと同様の方法で、包括的であることを意図されている。
【００９０】
本明細書で用いられるように、用語“推論する（infer）”又は“推論（inference）”は、一般に、イベント及び／又はデータを通して捕捉された一連の観測から、システム、環境及び／又はユーザの状態を推論（reasoning about）又は推論（inferring）するプロセスを指す。例えば、推論は、特定の状況（context）又はアクションを特定するために用いることができ、また、状態上の確率分布（probability distribution over states）を生成することができる。推論は、確率的であっても良い、すなわち、データ及びイベントの考慮に基づく、対象の状態上の確率分布の計算であっても良い。また、推論は、一連のイベント及び／又はデータから、よりハイレベルなイベントを構成するために用いられる技術を指すことができる。そのような推論は、一連の観測されたイベント及び／又は記憶されたイベントデータからの新たなイベント又はアクションの構築を、該イベントが緊密な時間的近接性と相関性があるかどうかにかかわらず且つ該イベント及びデータが一つ又は幾つかのイベント及びデータソースに由来しているかどうかにかかわらず、もたらす。
【００９１】
さらに、この出願において用いられる用語“コンポーネント（component）”、“モジュール（module）”、“システム（system）”及び同類のものは、コンピュータ関連のエンティティーである、ハードウェア、ファームウェア、ハードウェアとソフトウェアの組み合わせ、ソフトウェア又は実行中のソフトウェアのいずれをも指すことを意図されている。例えば、コンポーネントは、プロセッサ上で動作するプロセス、プロセッサ、オブジェクト、実行ファイル（executable）、実行のスレッド、プログラム、及び／又は、コンピュータであっても良い（ただし、これらに制限されるものではない）。例として、コンピュータデバイス上で動作するアプリケーションと、そのコンピュータデバイスの両方とも、コンポーネントであり得る。１又は複数のコンポーネントがプロセス及び／又は実行のスレッドの内部に存在することができ、また、一つのコンポーネントが一つのコンピュータに局在し及び／又は２以上のコンピュータ間に分散されることができる。加えて、これらコンポーネントは、様々なデータ構造を記録した様々なコンピュータ読み取り可能な媒体から実行することができる。それらコンポーネントは、例えば、１又は複数のデータパケット（例えば、その信号を経由して、ローカルシステムにおいて、分散システムにおいて及び／又は例えば他のシステムをともなうインターネットのようなネットワークを横切って、他のコンポーネントとインターラクトする、一つのコンポーネントからのデータ）を持つ信号に従うような、ローカルプロセス及び／又はリモートプロセスを経由して、通信することができる。
【図１】
2011519508.tif 000003
【図２】
2011519508.tif 000004
【図３】
2011519508.tif 000005
【図４】
2011519508.tif 000006
【図５】
2011519508.tif 000007
【図６】
2011519508.tif 000008
【図７】
2011519508.tif 000009
【図８】
2011519508.tif 000010
【図９】
2011519508.tif 000011
【図１０】
2011519508.tif 000012
【図１１】
2011519508.tif 000013
【図１２】
2011519508.tif 000014
【国際調査報告】
2011519508.tif 000015
2011519508.tif 000016